(57)【特許請求の範囲】
【請求項１】
第１の靴ひもを巻き取るための第１の巻取部と、
第２の靴ひもを巻き取るための第２の巻取部と、
当該第１の巻取部及び第２の巻取部を回転駆動するための１つのハンドルと、
前記ハンドルの正逆の異なる回転方向に応じて当該ハンドルによる駆動力を前記第１の巻取部又は第２の巻取部に振り分けるための切換手段と、
を備え、ハンドルを正逆交互に回すことでハンドルから手を離すことなく第１の靴ひも及び第２の靴ひもを連続的に巻き取ることができるようにした靴ひもの巻取装置であって、
前記第１の巻取部による靴ひもの巻取方向と、前記第２の巻取部による靴ひもの巻取方向とは、正逆の異なる回転方向であることを特徴とする靴ひもの巻取装置。
【請求項２】
第１の靴ひもを巻き取るための第１の巻取部と、
第２の靴ひもを巻き取るための第２の巻取部と、
当該第１の巻取部及び第２の巻取部を回転駆動するための１つのハンドルと、
前記ハンドルの正逆の異なる回転方向に応じて当該ハンドルによる駆動力を前記第１の巻取部又は第２の巻取部に振り分けるための切換手段と、
を備え、ハンドルを正逆交互に回すことでハンドルから手を離すことなく第１の靴ひも及び第２の靴ひもを連続的に巻き取ることができるようにした靴ひもの巻取装置であって、
前記切換手段は、ハンドルに形成されたハンドルギヤと噛合する第１のギヤ及び第２のギヤを備え、当該第１のギヤ及び第２のギヤは、前記第１の巻取部及び第２の巻取部の回転駆動機構とそれぞれ対応して連結されており、
前記ハンドルの位置を変更することによって当該ハンドルによる駆動力を前記第１の巻取部又は第２の巻取部に振り分けるようにしたものであることを特徴とする靴ひもの巻取装置。
【請求項３】
前記ハンドルは、その前側及び後側にそれぞれ異なるハンドルギヤを備えており、
そのハンドル位置を前後に移動させることで、当該ハンドルギヤが前記第１のギヤ又は第２のギヤと選択的に噛合するものであることを特徴とする請求項２に記載の靴ひもの巻取装置。
【請求項４】
前記ハンドルの前側及び後側に形成されたハンドルギヤは、当該ハンドルの回転軸と直交する平面と交差するように傾斜して形成されており、
前記第１のギヤ又は第２のギヤが当該ハンドルギヤと選択的に噛合するものであることを特徴とする請求項３に記載の靴ひもの巻取装置。
【請求項５】
前記ハンドルギヤは、その歯の先端部が面取りされていることを特徴とする請求項４に記載の靴ひもの巻取装置。
【請求項６】
前記切換手段は、前記第１の巻取部及び第２の巻取部の回転駆動機構を選択的に駆動することができるラチェットから構成され、
前記ハンドルによる駆動力を前記第１の巻取部又は第２の巻取部に振り分けるようにしたものであることを特徴とする請求項１に記載の靴ひもの巻取装置。
【請求項７】
前記第１の巻取部及び前記第２の巻取部を同一軸心上に並べて配置したことを特徴とする請求項１〜６の何れか一項に記載の靴ひもの巻取装置。
【発明の詳細な説明】
【技術分野】
【０００１】
本発明は、靴ひもの巻取装置に関するものであって、より詳細には、スキー、スノーボード、スケート、山登り、バイクの乗車を行う際などに使用するブーツなどの靴ひもを締め付けるのに適した靴ひもの巻取装置に関するものである。
【背景技術】
【０００２】
従来、スキー、スノーボード、スケートなどに使用するブーツの靴ひもを締め付けるために、ハンドル（円形ノブ）を回転することによって靴ひもを巻き付けることができる靴ひもの巻取装置が提案されている（特許文献１、特許文献２、特許文献３）。
【０００３】
これらの巻取装置は、手袋を装着したままであっても、靴ひもを締め付けることができるものであり、特にスノーボード用のブーツにおいて利便性に優れたものとして広く用いられるようになっている。
そして、これらの巻取装置に使用する靴ひもとしては、一般的に摩擦係数の低いワイヤーロープを使用しており、これらの巻取装置によってブーツの靴ひもを締め付けると、靴本体の甲部から靴本体の踝より上の部分を全体的に均一に締め付けることになる。
【０００４】
しかしながら、スノーボード用のブーツなどにおいては、靴ひもによって靴本体の甲部と靴本体の踝より上の部分の締め付け具合を別々に調節したいという要望があり、それぞれの部分に対応して２系統の靴ひもとそれらに対応する２個の巻取装置を装着したブーツが提案されている。
【０００５】
従って、従来の靴ひもの巻取装置を用いるブーツにおいて、靴本体の異なる部分を個別に締め付けられるようにするには、靴本体の前部及び側部、あるいは、靴本体の後部及び側部などにそれぞれ巻取装置を装着する必要があり、ブーツの構造が複雑化して大きくなってしまったり、ブーツの重量が増大するとか、ブーツの外観が損なわれるとか、ブーツの製造コストが大きくなるなどといった問題が避けられないものとなっている。
【０００６】
さらに、従来の靴ひもの巻取装置において、靴本体の異なる部分を個別に締め付けるには、巻取装置の操作が煩雑になるという問題がある。
なお、１個の巻取装置内に靴ひもの巻取部を２個備えたものも提案されているが（特許文献３の図２８〜図３０参照）、この巻取部は一体化されて同時に回転するものであるため、２本の靴ひもの締め付け具合を個別に調節できるものではない。
【先行技術文献】
【特許文献】
【０００７】
【特許文献１】特許第４１７１７７４号公報
【特許文献２】特許第４５３８８３６号公報
【特許文献３】特開２０１０−１４８９２７号公報
【発明の概要】
【発明が解決しようとする課題】
【０００８】
そこで、本発明が解決しようとする課題は、従来の靴ひもの巻取装置においては、ブーツの異なる部分を２系統の靴ひもを用いて個別に締め付けて調節するという要望を実用的なレベルで達成できないということであり、本発明の目的は、２系統の靴ひもを個別に巻き取ることができる１個の巻取装置であって、しかも、その巻取装置のハンドルから手を離すことなく２系統の靴ひもを連続的に巻き取ることができる靴ひもの巻取装置を提供することにある。
【課題を解決するための手段】
【０００９】
本発明は、「第１の靴ひもを巻き取るための第１の巻取部と、第２の靴ひもを巻き取るための第２の巻取部と、当該第１の巻取部及び第２の巻取部を回転駆動するための１つのハンドルと、前記ハンドルの正逆の異なる回転方向に応じて当該ハンドルによる駆動力を前記第１の巻取部又は第２の巻取部に振り分けるための切換手段と、を備え、ハンドルを正逆交互に回すことでハンドルから手を離すことなく第１の靴ひも及び第２の靴ひもを連続的に巻き取ることができるようにした靴ひもの巻取装置。」を最も主要な特徴とするものである。
【００１０】
前記第１の巻取部による靴ひもの巻取方向と、前記第２の巻取部による靴ひもの巻取方向とは、正逆の異なる回転方向であるとよい。
また、前記第１の巻取部及び前記第２の巻取部は、同一軸心上に並べて配置したものであるとよい。
【００１１】
前記切換手段は、ハンドルに形成されたハンドルギヤと噛合する第１のギヤ及び第２のギヤを備え、当該第１のギヤ及び第２のギヤは、前記第１の巻取部及び第２の巻取部の回転駆動機構とそれぞれ対応して連結されており、前記ハンドル位置を変更することによって当該ハンドルによる駆動力を前記第１の巻取部又は第２の巻取部に振り分けるようにしたものであってもよい。
【００１２】
また、前記ハンドルは、その前側及び後側にそれぞれ異なるハンドルギヤを備えており、そのハンドル位置を前後に移動させることで、当該ハンドルギヤが前記第１のギヤ又は第２のギヤと選択的に噛合するものであってもよい。
そして、前記ハンドルの前側及び後側に形成されたハンドルギヤは、当該ハンドルの回転軸と直交する平面と交差するように傾斜して形成されており、前記第１のギヤ又は第２のギヤが当該ハンドルギヤと選択的に噛合するものであってもよく、さらに、そのハンドルギヤは、その歯の先端部が面取りされていることが望ましい。
【００１３】
さらに、前記切換手段は、前記第１の巻取部及び第２の巻取部の回転駆動機構を選択的に駆動することができるラチェットから構成され、前記ハンドルによる駆動力を前記第１の巻取部又は第２の巻取部に振り分けるようにしたものであってもよい。
【発明の効果】
【００１４】
上記のように構成した本発明の靴ひもの巻取装置においては、第１の靴ひも及び第２の靴ひもによる締め付け具合を個別に調節できるばかりか、ハンドルを正逆の異なる方向に交互に回すことでハンドルから手を離すことなく第１の靴ひも及び第２の靴ひもを連続的に巻き取ることができ、ブーツの異なる部分を締め付けるための靴ひもを締め付ける操作を迅速に行うことができる。
【００１５】
前記第１の巻取部による靴ひもの巻取方向と、前記第２の巻取部による靴ひもの巻取方向とを、正逆の異なる回転方向とすることで、巻取装置の構造を簡潔なものとすることができる。
【００１６】
そして、本発明の靴ひもの巻取装置においては、ハンドル位置を変更するという簡単な動作を加えるだけで、当該ハンドルによる駆動力を前記第１の巻取部又は第２の巻取部に振り分けることができ、ハンドルによる靴ひもの巻取操作が煩雑となることはない。
【００１７】
また、前記ハンドルの前側及び後側に形成されたハンドルギヤを、当該ハンドルの回転軸と直交する平面と交差するように傾斜して形成し、第１のギヤ又は第２のギヤが当該ハンドルギヤと選択的に噛合するようにすることで、
１）ハンドルを前後に切り換える際のハンドルの移動量を少なくしてハンドルの切換操作を迅速化することができる。
２）ハンドルギヤと第１のギヤ又は第２のギヤとの間の必要な係合状態を得ることができる。
３）ハンドルを誤った方向に回してしまった場合においてもギヤ同士の噛み合わせをスムーズに逃がすことができる。
という効果を発揮することができる。
【００１８】
さらに、ハンドルギヤの歯の先端部を面取りすることで、ギヤの耐久性を向上させることができる。
また、前記切換手段をラチェットから構成することにより、ハンドルを回転させる際に人為的にハンドルの切り換え操作を行う必要が無く、ハンドルによる駆動力を前記第１の巻取部又は第２の巻取部に迅速に振り分けて靴ひもを巻き取ることができる。
【図面の簡単な説明】
【００１９】
【図１】図１は本発明の靴ひもの巻取装置の断面図であって、（Ａ）は靴ひもＷ１を巻き取るための回転駆動機構を斜線で示す図、（Ｂ）は靴ひもＷ２を巻き取るための回転駆動機構を斜線で示す図である。
【図２】図２は本発明を具体化した靴ひもの巻取装置を備えたスノーボード用ブーツを示す斜視図である。
【図３】図３は本発明を具体化した靴ひもの巻取装置を備えたスノーボード用ブーツのタングと靴ひもの配線を示す図である。
【図４】図４は本発明を具体化した靴ひもの巻取装置の傘歯車とハンドルを示す図であって、（Ａ）は傘歯車の底面図、（Ｂ）は傘歯車の正面図、（Ｃ）はハンドルの平面図、（Ｄ）はハンドルの斜視図である。
【図５】図５は本発明を具体化した靴ひもの巻取装置の傘歯車とハンドルを示す斜視図である。
【図６】図６は本発明を具体化した靴ひもの巻取装置の傘歯車の歯を拡大して示す斜視図。
【図７】図７は本発明を具体化した靴ひもの巻取装置の分解斜視図である。
【図８】図８は本発明を具体化した靴ひもの巻取装置のロック機構を示す平面図であって、（Ａ）はロック状態を示す図、（Ｂ）はロック状態を解除して２つの巻取部をフリーにした状態を示す図である。
【図９】図９は本発明を具体化した靴ひもの巻取装置の傘歯車の歯を拡大して示す部分断面図である。
【図１０】図１０は本発明を具体化した靴ひもの巻取装置と従来の靴ひもの巻取装置の操作手順を比較して示す図である。
【図１１】図１１は靴ひもの巻取装置の他の実施例を示す図である。
【発明を実施するための形態】
【００２０】
本発明は、「第１の靴ひもを巻き取るための第１の巻取部と、第２の靴ひもを巻き取るための第２の巻取部と、当該第１の巻取部及び第２の巻取部を回転駆動するための１つのハンドルと、前記ハンドルの正逆の異なる回転方向に応じて当該ハンドルによる駆動力を前記第１の巻取部又は第２の巻取部に振り分けるための切換手段と、を備え、ハンドルを正逆交互に回すことでハンドルから手を離すことなく第１の靴ひも及び第２の靴ひもを連続的に巻き取ることができるようにした靴ひもの巻取装置であって、
前記第１の巻取部による靴ひもの巻取方向と、前記第２の巻取部による靴ひもの巻取方向とは、正逆の異なる回転方向であることを特徴とする靴ひもの巻取装置。」又は
「第１の靴ひもを巻き取るための第１の巻取部と、第２の靴ひもを巻き取るための第２の巻取部と、当該第１の巻取部及び第２の巻取部を回転駆動するための１つのハンドルと、前記ハンドルの正逆の異なる回転方向に応じて当該ハンドルによる駆動力を前記第１の巻取部又は第２の巻取部に振り分けるための切換手段と、を備え、ハンドルを正逆交互に回すことでハンドルから手を離すことなく第１の靴ひも及び第２の靴ひもを連続的に巻き取ることができるようにした靴ひもの巻取装置であって、
前記切換手段は、ハンドルに形成されたハンドルギヤと噛合する第１のギヤ及び第２のギヤを備え、当該第１のギヤ及び第２のギヤは、前記第１の巻取部及び第２の巻取部の回転駆動機構とそれぞれ対応して連結されており、前記ハンドルの位置を変更することによって当該ハンドルによる駆動力を前記第１の巻取部又は第２の巻取部に振り分けるようにしたものであることを特徴とする靴ひもの巻取装置。」であって、以下において説明する実施例の形態などにより好適に具体化することができる。
【００２１】
以下、本発明の靴ひもの巻取装置をスノーボード用ブーツに具体化した一実施例について説明する。
【実施例１】
【００２２】
図１は本発明の一実施例の靴ひもの巻取装置２０を示し、図２は靴ひもの巻取装置２０を備えたスノーボード用ブーツ１０を示す図であって、このブーツ１０は、１）ソール１１と、２）当該ソール１１上において爪先から略水平方向に延びる靴本体甲部１２とくるぶし付近から略鉛直方向に延びる靴本体上部（下肢部）１３とを有する靴本体１４とを備えている。
【００２３】
前記靴本体１４は、スノーボードに対してブーツ着用者の下肢をしっかりと固定してスノーボードを正しく操作できるように、合成皮革、天然皮革、生地、発泡体、合成樹脂などの材料からなる部材を積層、一体化し、剛性のある構造となっている。そして、前記靴本体１４は、靴本体甲部１２の上面及び靴本体上部１３の前面に該当するすね部が略「Ｖ」字状に切り欠かれた開口部１５を有しており、靴本体上部１３の上端部から足を入れられるようになっている。
【００２４】
また、前記ブーツ１０は、前記靴本体１４内にクッション性を備えたインナー１６を備え、さらに、前記ブーツ１０は、前記靴本体甲部１２及び靴本体上部１３の前面に該当するすね部に配置されたタング１を備えている。
【００２５】
前記タング１は、強度の高い合成皮革又は撥水コート生地からなる正面部と、当該正面部より柔軟な素材（ＥＶＡ発泡材など）からなる背面部とを接着後に熱プレスして立体的な略「Ｌ」字状に屈曲成形し、裏生地を貼って縁縫いすることで製造されており、屈曲部２の下方を構成する甲部３と、屈曲部２の上方を構成するすね部４とを備えている。
【００２６】
なお、本実施例のように靴ひもの巻取装置２０をタング１の前面に装着する場合には、前記背面部の上部裏面を硬めの発泡材（ＥＶＡ発泡材又はＰＥ発泡材など）に置き換えて違和感を解消するようにしてもよい。
【００２７】
前記タング１は、この種のブーツにおいて一般的に採用されているタングと同様に、甲部３とすね部４の強度が高く、それらの間にある屈曲部２の強度が低くなるような形態になっており、屈曲部２を中心として甲部３とすね部４とが接近したり離反したりすることができるようになっている。
【００２８】
そして、前記タング１は、前記開口部１５を靴本体１４の内側から塞ぐように靴本体１４の内部に配置されており、そのタング１の先端部３ａが靴本体甲部１２に縫い付けられることで、靴本体１４と相対移動可能となっている。
【００２９】
前記タング１の屈曲部２より若干上方位置において、前記すね部４には左右一対の第１の靴ひも通し穴Ｈ１が設けられている。かかる第１の靴ひも通し穴Ｈ１は、タング１のほぼ上下方向（縦方向）に沿って、かつ、前記タング１の表側からタング１の内部に至るように形成されている。
【００３０】
前記タング１は、その前記屈曲部２付近に第１の靴ひもＷ１を通過させる交差ガイド部５を備えており、この交差ガイド部５は、高さの異なるガイド孔に第１の靴ひもＷ１を挿通することで靴ひもＷ１同士が互いに接触して切れることがないようにしている。
さらに、この交差ガイド部５は、前記甲部３の山形に形成された部分に配置されているため、第１の靴ひもＷ１が引き締められると、前記甲部３の頂部を第１の靴ひもＷ１によって押し下げる作用をも発揮する。
【００３１】
一方、前記靴本体甲部１２には、前記タング１の屈曲部２付近であって、かつ、前記第１の靴ひも通し穴Ｈ１より下方位置において、前記開口部１５周縁に第２の靴ひも通し穴Ｈ２が向き合うように１組設けられている。
さらに、前記靴本体甲部１２には、前記タング１の先端部付近（前記第２の靴ひも通し穴Ｈ２より前方位置）において、第３の靴ひも通し穴Ｈ３が向き合うように３組設けられている。
【００３２】
前記タング１は、そのすね部４の前面に巻取装置２０を備えており、前記すね部４の内部において、この巻取装置２０に剛性を備えたチューブ７の上端部が接続され、当該チューブ７の下端部が前記第１の靴ひも通し穴Ｈ１と接続されることで、チューブ７に挿通された靴ひもＷ１をスムーズに巻き取ることができるようになっている。
【００３３】
この巻取装置２０は、内部に前記第１の靴ひもＷ１を巻き取るための第１の巻取部としての第１のドラムＤ１と、第２の靴ひもＷ２を巻き取るための第２の巻取部としての第２のドラムＤ２とを備えており、前面に設けられたハンドル２１を前後に切り換えて正逆の異なる方向に交互に回転操作することで、ハンドル２１による駆動力を振り分けて前記第１の靴ひもＷ１及び第２の靴ひもＷ２を巻き取ることができるようになっている。
【００３４】
前記第２の靴ひもＷ２は、靴本体上部１３を締め付けるため、前記第１及び第２の靴ひも通し穴Ｈ１を通過する第１の靴ひもＷ１とは別系統の靴ひもであって、その両端が巻取装置２０によって巻き取られるようになっている。
この第２の靴ひもＷ２は、前記靴本体上部１３において、前記開口部１５周縁に向き合って２組設けられた第４の靴ひも通し穴Ｈ４に挿通され、前記靴本体上部１３を前記第１の靴ひもＷ１とは別個独立して締め付けることができるようになっている。
【００３５】
なお、前記巻取装置２０は、その前面に設けられた後述するスイッチ２６を操作することで、巻き取られた第１の靴ひもＷ１及び第２の靴ひもＷ２を同時に解放してそれらの靴ひもＷ１，Ｗ２を緩めることができるようになっている。
【００３６】
本実施例において、前記第１の靴ひもＷ１及び第２の靴ひもＷ２は、編み込まれた金属製のワイヤーロープのように摩擦係数の低いものを好適に使用することができるが、合成樹脂が被覆されたワイヤー（コーティングロープ）を使用してもよい。
【００３７】
金属製のワイヤーロープとしては、直径０．１１〜０．１３ｍｍのステンレス製の素線を４９本撚り合わせたワイヤーロープにスウェージングマシンにて加工を加え、ロープ径を０．８６ｍｍに仕上げ、切断加重７２９Ｎ以上としたワイヤーロープを好適に用いることができる。
【００３８】
繊維製の靴ひもとしては、例えば、１）マニラ麻、サイザル麻などの天然繊維、２）ポリアミド系、ポリエステル系、ポリエチレン系、ポリプロピレン系、ポリ塩化ビニリデン系などの汎用合成樹脂、３）アラミド系、ポリアリレート系、超高分子ポリエチレン系などのスーパー合成繊維からなるものを使用できるが、それらの靴ひもを巻き取る巻取装置又は巻き取る方法としては、靴ひもの強度・特性及びブーツの用途に応じて適宜その形状や寸法などを選択する必要がある。
【００３９】
次に、前記巻取装置２０の細部の構造について説明する。
この巻取装置２０は、第１の靴ひもＷ１を巻き取るための第１のドラムＤ１を回転させる回転駆動機構Ｘと、第２の靴ひもＷ２を巻き取るための第２のドラムＤ２を回転させる回転駆動機構Ｙを備えている。
そして、この回転駆動機構Ｘと回転駆動機構Ｙは、それらを構成する部品の配置が前後逆向きとなっており、第１のドラムＤ１と第２のドラムＤ２を正逆の異なる方向に回転させて靴ひもＷ１，Ｗ２を巻き取るようになっている。
【００４０】
この巻取装置２０は、筐体２０ａの前面に設けられたハンドル２１を手前側に引くと、第１の靴ひもＷ１を巻き取る第１のドラムＤ１を回転操作するための回転軸３０と連結され（図１（Ａ）参照）、ハンドル２１を押し込むと、第２の靴ひもＷ２を巻き取る第２のドラムＤ２を回転操作するための回転軸５０と連結されるようになっている（図１（Ｂ）参照）。
【００４１】
なお、前記回転軸５０は、回転軸３０の外側に嵌め込まれるように装着されており、両回転軸３０，５０は、同一の回転中心を有し、ハンドル２１によって選択的に回転操作されるようになっている。
【００４２】
そして、第１のドラムＤ１に第１の靴ひもＷ１を巻き取る際には、図１（Ａ）の矢印Ｆに示すように前方に引いたハンドル２１を図３において反時計回り方向に回転操作する。一方、第２のドラムＤ２に第２の靴ひもＷ２を巻き取る際には、図１（Ｂ）矢印Ｒに示すように後方に押したハンドル２１を図３において時計回り方向に回転操作する。
【００４３】
従って、第１の靴ひもＷ１及び第２の靴ひもＷ２を締め付ける際には、ハンドル２１を保持したまま手首を正逆の異なる方向に交互に回転させることにより、ハンドル２１から手を離すことなく連続的かつ速やかに第１の靴ひもＷ１及び第２の靴ひもＷ２を締め付けることができる。
【００４４】
即ち、本発明の巻取装置２０においては、第１の靴ひもＷ１及び第２の靴ひもＷ２を締め付けるためのハンドル２１の回転方向を正逆の異なる方向としたことにより、手首をハンドル２１から離したり手首を無駄に回転させる操作を省くことができる。
それにより、本発明の巻取装置２０は、厚い手袋を嵌めたまま行うスキー及びスノーボードなどに使用するブーツに採用する場合において特に利便性の高いものとすることができる。
【００４５】
前記ハンドル２１は、中央部に軸孔２２を備え、その軸孔２２を中心としてハンドル２１の前側に円環状のハンドルギヤ２３が形成され、後側に円環状のハンドルギヤ２４が形成されている。
そして、ハンドル２１の前方には、前記回転軸３０と連結された第１のギヤとしての傘歯車３１が装着されており、ハンドル２１を前方に引いた状態で当該傘歯車３１と前記ハンドルギヤ２３が係合可能となっている（図１（Ａ）、図４、図５参照）。
【００４６】
一方、前記ハンドル２１の後方には、前記回転軸５０と連結された第２のギヤとしての傘歯車５１が配置されており、ハンドル２１を後方へ押した状態で当該傘歯車５１と前記ハンドルギヤ２４が係合可能となっている。
従って、前記ハンドル２１及び傘歯車３１，５１により、前記ハンドル２１の正逆の回転方向に応じて当該ハンドル２１による駆動力を前記第１のドラムＤ１又は第２のドラムＤ２に振り分けるための切換手段が構成される。
なお、前記ハンドルギヤ２３，２４及び傘歯車３１，５１の歯は、その先端部が面取りされており（本実施例においては、Ｒが０．５ｍｍ程度の面取り。）、耐久性に優れたものとなっている（図６参照）。
【００４７】
前記傘歯車３１の軸部３２は、周回状に形成された前後２列の凹溝３３，３４を備えるとともに、前記ハンドル２１の軸孔２２に挿通されている。そして、前記ハンドル２１の軸孔２２に沿って配置されたバネ２５が前記凹溝３３，３４に選択的に嵌合することで、ハンドル２１の前後位置を選択し、いずれかの傘歯車３１，５１と選択的に係合できるようになっている（図４参照）。
従って、ハンドル２１位置の状態を把握することも容易である。
【００４８】
前記回転軸３０，５０は、太陽歯車３５，５５を備えており、その太陽歯車３５，５５がそれぞれ３つの遊星歯車３６，５６と噛み合うようになっている。前記遊星歯車３６，５６は、前記ドラムＤ１，Ｄ２と一体となっている遊星キャリア３７，５７によって互いの位置が保持されて回転可能となっている。そして、遊星歯車３６は、環状歯車３８の内周面に形成された外側の歯車（図示略）と係合する。
なお、遊星歯車５６は、同様に環状歯車５８の内周面に形成された外側の歯車５８ａと係合する。
【００４９】
また、前記ドラムＤ１，Ｄ２（遊星キャリア３７，５７）と前記回転軸３０，５０とは互いに固定されておらず、前記環状歯車３８，５８と前記回転軸３０，５０とは互いに固定されていない。
一方、前記環状歯車３８の内周面に形成された内側の歯車（図示略）には、静摩擦力制御部材３９に互いに１２０度離間して設けられた３つの止め爪３９ａが係合するようになっている。
前記環状歯車５８の内周面に形成された内側の歯車５８ｂには、同様に静摩擦力制御部材５９に互いに１２０度離間して設けられた３つの止め爪５９ａが係合するようになっている。
【００５０】
そして、前記靴ひもＷ１，Ｗ２から前記ドラムＤ１，Ｄ２に大きな張力が加わっていない状態では、回転軸３０，５０の回転は静摩擦力制御部材３９，５９の止め爪３９ａ，５９ａから環状歯車３８，５８に伝達され、ドラムＤ１，Ｄ２が回転軸３０，５０の回転と同じ角度にて速やかに回転駆動される。
【００５１】
一方、前記靴ひもＷ１，Ｗ２が徐々に締め付けられて、靴ひもＷ１，Ｗ２から前記ドラムＤ１，Ｄ２に大きな張力が加わる状態となると、回転軸３０，５０の回転は静摩擦力制御部材３９，５９から環状歯車３８，５８に伝達することができなくなり、遊星歯車３６，５６の回転として伝達されるようになる。
【００５２】
ここで、前記環状歯車３８，５８の外周面には、ロックピース４０，６０が係合するギヤ３８ｃ、５８ｃが形成されており、ラチェットとして環状歯車３８，５８が靴ひもＷ１，Ｗ２を締め付ける方向にのみ回転するように制御できるようになっている。
従って、前記遊星歯車３６，５６の回転は、回転軸３０，５０の回転を減速した回転として（増大されたトルクを以て）ドラムＤ１，Ｄ２を回転駆動する。
【００５３】
このロックピース４０，６０によるラチェットは、図８に示すように、巻取装置２０の筐体２０ａの前面に取り付けられたスイッチ２６を左右の位置に切り換えることで、ロックピース４０，６０による環状歯車３８，５８の回転ロック状態を同時に解除したり、ロックピース４０，６０によって靴ひもＷ１，Ｗ２を締め付ける方向にのみ回転するように制御できるようになっている。
【００５４】
なお、前記スイッチ２６によるロックピース４０，６０の駆動は、スイッチ２６の裏面に固定された切換軸２６ａが前記筐体２０ａの上部に左右方向に形成された長孔２７に挿通され、その切換軸２６ａがロックピース４０，６０の摺動面４１，６１に沿って駆動されることで行われるようになっている。
【００５５】
前記ハンドル２１の前側及び後側に形成された円環状のハンドルギヤ２３，２４と、傘歯車３１，５１の形状は、１）ハンドル２１の回転方向の迅速な切り換えを図るため、２）ギヤ同士の噛み合わせ力を十分得られるようにするため、さらには、３）ハンドル２１を誤った方向に回してしまった場合においてギヤ同士の噛み合わせを逃がすことができるようにするため、ハンドル２１の回転軸と直交する平面と交差するように、ギヤ面を適度に傾斜させることが望まれる。
【００５６】
そこで、図９（Ａ）〜（Ｈ）に示すように、傘歯車５１（３１）のギヤ面の傾斜角度を適宜変更してハンドル２１の操作性及びギヤ（ハンドルギヤ２３，２４、傘歯車３１，５１）の耐久性について比較検討した結果について以下の表１に示す。
【００５７】
【表１】
0005727771.tif 000002
【００５８】
上記の比較検討結果から、前記ハンドルギヤ２３，２４と、傘歯車３１，５１のギヤ面の傾斜角度は、５０〜７０度程度が好ましく、約６０度（５７度）の場合が最も良好な結果を得ることができた。
即ち、前記ハンドルギヤ２３，２４と、傘歯車３１，５１のギヤ面を約６０度（５７度）傾斜させることで、１）ハンドル２１を前後に切り換える際のハンドル２の移動量を少なくしてハンドルの切換操作を迅速化することができ、２）ハンドルギヤ２３，２４と傘歯車３１，５１との間の必要な係合状態を確実に得ることができ、さらには、３）ハンドル２１を誤った方向に回してしまった場合においてもギヤ同士の噛み合わせをスムーズに逃がすことができる。
【００５９】
次に、本発明の靴ひもの巻取装置２０を備えたスノーボード用ブーツ１０を製造する方法について説明する。
本発明の靴ひもの巻取装置を備えたブーツ１０を製造するには、通常のスノーボードブーツと同様のソール１１と、（靴本体甲部１２、靴本体上部１３及び開口部１５を有する）靴本体１４と、インナー１６とを設ける。
【００６０】
この靴本体１４には、その開口部１５に沿って第２の靴ひも通し穴Ｈ２〜第４の靴ひも通し穴Ｈ４を形成する。これらの靴ひも通し穴Ｈ２〜Ｈ４は、側方に開口する略「Ｕ」字状の管路を形成する靴ひもガイドを靴本体１４に埋設する従来の製法にて好適に用意することができる。
【００６１】
次に、屈曲部２の下方を構成する甲部３と、屈曲部２の上方を構成するすね部４とを備えたタング１を用意する。
そして、前記タング１のすね部４の前面に、巻取装置２０を固定し、タング１の内部にてこの巻取装置２０に剛性を備えたチューブ７の上端部を接続し、当該チューブ７の下端部を前記タング１に設けた第１の靴ひも通し穴Ｈ１と接続する。
上記のように製造した前記タング１の先端部３ａを靴本体甲部１２に縫い付けることで、前記開口部１５を靴本体１４の内側から塞ぐようにタング１を取り付ける。
【００６２】
前記巻取装置２０は、前記回転駆動機構Ｘ及び回転駆動機構Ｙを構成する各部品を、図７に示すように配置して順次組み付けることで予め製造可能である。
そして、各靴ひも通し穴Ｈ１〜Ｈ４及びチューブ７などに靴ひもＷ１，Ｗ２を通し、巻取装置２０の第１のドラムＤ１及び第２のドラムＤ２の軸部にそれぞれ第１の靴ひもＷ１及び第２の靴ひもＷ２の両端部を固定し、巻取装置２０にて靴ひもＷ１，２を巻き取って靴ひもＷ１，Ｗ２を締め付けできるようにする。
【００６３】
なお、本実施例においては、ハンドルギヤ２３，２４、傘歯車３１，５１、環状歯車３８，５８をガラス繊維を含むナイロン樹脂から製造し、回転軸３０，５０、遊星キャリア３７，５７、第１及び第２のドラムＤ１，Ｄ２、太陽歯車３５，５５、遊星歯車３６，５６をアルミ合金から製造している。
【００６４】
上記のように構成された靴ひもの巻取装置２０を備えたブーツ１０は、各靴ひもＷ１，Ｗ２の巻取量を個別に調節し、各靴ひもＷ１，Ｗ２による締め付け具合を独立して変更することができるばかりか、巻取装置２０のハンドル２１を持った手を離すことなく、ブーツ１０の異なる部分を締め付けるための２本の靴ひもＷ１，Ｗ２を速やかに巻き取ってそれらの靴ひもＷ１，Ｗ２を締め付けることができる（図１０参照）。
さらに、ブーツ１０は、タング１をブーツ着用者の甲部方向へ引き寄せてブーツ着用者の甲部及び足首の屈曲部付近を常に直接効果的に締め付けることができ、スノーボードの滑走時において良好なコントロール性能を安定して発揮することができた。
【００６５】
次に、本発明の巻取装置を用いた場合の効果について、従来構造の巻取装置を用いた場合と比較するために行った試験の結果について以下の表２に示す。
【００６６】
【表２】
0005727771.tif 000003
【００６７】
ここで、表２における「試験１」は、特許文献２において開示されている遊星歯車機構を採用した変速式の巻取装置により、１本の靴ひもを巻き取る場合におけるハンドルが回る角度、靴ひもの巻き取り量、靴ひもを締め付け終わるまでに必要となったハンドルを巻いた回数、巻取開始から巻取終了までの総時間をそれぞれ測定したものである。
【００６８】
同様に、表２における「試験２」は、特許文献１などにおいて開示されているような変速機構を備えていない従来の靴ひもの巻取装置により、１本の靴ひもを巻き取る場合におけるハンドルが回る角度、靴ひもの巻取り量、ハンドルを巻いた回数、巻き取りの総時間をそれぞれ測定したものである。
【００６９】
同様に、表２における「試験３」は、特許文献１などにおいて開示されているような変速機構を備えていない従来の靴ひもの巻取装置を２個装着したブーツにより、２本の靴ひもを巻き取る場合におけるハンドルが回る角度、靴ひもの巻取り量、ハンドルを巻いた回数、巻き取りの総時間をそれぞれ測定したものである。
【００７０】
同様に、表２における「試験４」は、本発明を具体化した靴ひもの巻取装置２０により、２本の靴ひもを巻き取る場合におけるハンドルが回る角度、靴ひもの巻取り量、ハンドルを巻いた回数、巻き取りの総時間をそれぞれ測定したものである。
【００７１】
従って、本発明は、従来の靴ひもの巻取装置と比較して迅速に２本の靴ひもを巻き取ることができることを確認できた。
即ち、本発明の巻取装置を１個使用することで、２本の靴ひもであっても、１本の靴ひもを巻き取る場合とほぼ同じ時間で２本の靴ひもを巻き取って締め付けることができた。
【実施例２】
【００７２】
本発明は上記実施例に限定されるものではなく、図１１に示すようなラチェット機構を採用したハンドル８１を操作することで、ハンドル８１から手を離すことなく、ハンドル８１を正逆の異なる方向に交互に連続して回転操作することで、２系統の靴ひもを速やかに巻き取ることができる巻取装置８０として具体化して実施してもよい。
【００７３】
即ち、この実施例２の巻取装置８０においては、前記実施例における回転軸３０と回転軸５０にそれぞれ歯車８２，８３を連結し、ハンドル８１を正回転させた場合には回転軸３０のみを回転できるようにし、ハンドル８１を逆回転させた場合には回転軸５０のみを回転できるようにすることで、本発明を具体化することができる。
この巻取装置８０は、前記実施例１の巻取装置２０とは異なり、ハンドル８１位置を人為的に前後に切り換える必要がないので、靴ひもを巻き取る操作が容易となるが、ラチェット機構及びロック解除の機構がやや複雑化するおそれがある。
【００７４】
なお、本明細書中において、ハンドルとは、回転駆動機構Ｘ，Ｙを回転駆動するための操作部として機能するものであれば特に形状が限定されるものではなく、円盤状又は多角形状のダイヤルの他、板状、三叉状、十字状、星形などのつまみ又はレバーであってもよい。
【００７５】
また、本発明は、ハンドルの回転方向を逆転させることで２つの巻取部を交互に回転駆動できればよく、２つの巻取部の回転方向については同一方向であっても逆方向であってもよい。
しかしながら、本実施例のように、２つの巻取部による靴ひもＷ１，Ｗ２の巻取方向を正逆の異なる回転方向とすることで、回転駆動機構Ｘの構成を回転駆動機構Ｙの構成と前後逆向きにするといった簡潔なものとすることができる。
さらに、ハンドルのいずれの回転方向を正回転として第１の靴ひも又は第２の靴ひもを巻き取るようにするかは任意である。
【００７６】
本発明の前記実施例においては、第１のドラムＤ１及び第２のドラムＤ２を同一軸心上に並べるようにして回転駆動機構Ｘ及び回転駆動機構Ｙを前後に配置して実施したが、第１のドラムＤ１と第２のドラムＤ２を異なる軸心上に配置し、例えば回転駆動機構Ｘ及び回転駆動機構Ｙを同一平面上に配置して実施してもよい。
【００７７】
本発明は上記各実施例のように配線した靴ひもを締め付けるための巻取装置に限定されるものではなく、靴本体甲部１２の異なる部分を締め付ける２系統の靴ひもを巻き取る巻取装置に具体化して実施したり、靴本体上部１３の異なる部分を締め付ける２系統の靴ひもを巻き取る巻取装置に具体化して実施してもよい。
【００７８】
また、試験を繰り返した結果、ハンドルを押し込んで時計回り方向にハンドルを回転させ、ハンドルを引いて反時計回り方向にハンドルを回転させて靴ひもを締め付けるという本実施例の操作方法が扱い易いものであることが解った。
なお、巻取装置を靴本体甲部の上に設置するような場合には、巻取装置２０によるハンドルの切換操作は、前後方向ではなく上下方向となることは勿論である。
【００７９】
本発明は上記各実施例に限定されるものではなく、スキー、スケート、山登り、バイクの乗車などに用いるブーツに本発明の靴ひもの巻取装置を用いて実施してもよい。
さらに、本発明の趣旨を逸脱しない範囲で巻取装置の各部の材質、形状、寸法、強度、設置位置、厚さ、大きさ、数などを適宜変更して実施してもよい。
【産業上の利用可能性】
【００８０】
本発明は、スキー、スノーボード、スケート、山登り、バイクの乗車などに用いるブーツにおける靴ひもの巻取装置として好適に利用可能である。
【符号の説明】
【００８１】
１    タング
２    屈曲部
３    甲部
３ａ  先端部
４    すね部
５    交差ガイド部
７    チューブ
１０    スノーボード用ブーツ
１１    ソール
１２    靴本体甲部
１３    靴本体上部
１４    靴本体
１５    開口部
１６    インナー
２０    巻取装置（実施例１）
２０ａ  筐体
２１    ハンドル
２３    ハンドルギヤ
２４    ハンドルギヤ
２６    スイッチ
３０    回転軸
３１    第１のギヤとしての傘歯車
３２    軸部
３３    凹溝
３４    凹溝
３５    太陽歯車
３６    遊星歯車
３７    遊星キャリア
３８    環状歯車
３８ｃ  ギヤ
３９    静摩擦力制御部材
３９ａ  止め爪
４０    ロックピース
４１    摺動面
５０    回転軸
５１    第２のギヤとしての傘歯車
５５    太陽歯車
５６    遊星歯車
５７    遊星キャリア
５８    環状歯車
５８ａ  外側の歯車
５８ｂ  内側の歯車
５８ｃ  ギヤ
５９    静摩擦力制御部材
５９ａ  止め爪
６０    ロックピース
６１    摺動面
８０    巻取装置（実施例２）
８１    ハンドル
８２    歯車
８３    歯車
Ｄ１    第１の巻取部としての第１のドラム
Ｄ２    第２の巻取部としての第２のドラム
Ｈ１    第１の靴ひも通し穴
Ｈ２    第２の靴ひも通し穴
Ｈ３    第３の靴ひも通し穴
Ｈ４    第４の靴ひも通し穴
Ｗ１    第１の靴ひも
Ｗ２    第２の靴ひも
Ｘ      第１の靴ひもＷ１を巻き取るための回転駆動機構
Ｙ      第２の靴ひもＷ２を巻き取るための回転駆動機構
【図１】
0005727771.tif 000004
【図２】
0005727771.tif 000005
【図３】
0005727771.tif 000006
【図４】
0005727771.tif 000007
【図５】
0005727771.tif 000008
【図６】
0005727771.tif 000009
【図７】
0005727771.tif 000010
【図８】
0005727771.tif 000011
【図９】
0005727771.tif 000012
【図１０】
0005727771.tif 000013
【図１１】
0005727771.tif 000014